(57)【要約】本発明は、少なくとも１個のブラインドシート（１０）と、ブラインドシートを巻取りおよび巻戻すための少なくとも１個の巻取り管（１２）とを備え、ブラインドシートが側方の両エッジ範囲に沿ってそれぞれ少なくとも１個の可撓性で偏平な案内帯（１８）を備え、この案内帯が巻上げブラインドの引き出し方向に沿って延在し、かつガイド（２０）内を案内されている、車両用巻上げブラインド装置に関する。本発明に従い、ガイドは滑り案内溝を有し、この滑り案内溝内で案内帯が案内され、滑り案内溝が出口隙間（２２）を有し、ブラインドシートがこの出口隙間を通ってガイドから外へ出ており、案内帯の底面（３１）がブラインドシートの隣接範囲に対してほぼ平行に案内されるように、案内帯が案内されている。案内帯がひとりでにガイドから出ることができないように、出口隙間と案内帯の形状および寸法が定められている。
2008520859.tif 000002
【特許請求の範囲】
【請求項１】
少なくとも１個のブラインドシート（１０）と、ブラインドシートを巻取りおよび巻戻すための少なくとも１個の巻取り管（１２）とを備え、ブラインドシートが側方の両エッジ範囲に沿ってそれぞれ少なくとも１個の可撓性で偏平な案内帯（１８）を備え、この案内帯が巻上げブラインドの引き出し方向に沿って延在し、かつガイド（２０）内を案内されている、車両用巻上げブラインド装置において、ガイドが滑り案内溝を有し、この滑り案内溝内で案内帯が案内され、滑り案内溝が出口隙間（２２）を有し、ブラインドシートがこの出口隙間を通ってガイドから外へ出ており、案内帯の底面（３１）がブラインドシートの隣接範囲に対してほぼ平行に案内されるように、案内帯が案内され、案内帯がひとりでにガイドから出ることができないように、出口隙間と案内帯の形状および寸法が定められていることを特徴とする巻上げブラインド装置。
【請求項２】
案内帯（１８）がガイド（２０）内の案内通路（２３）の中を案内され、案内通路の底（２７）が引き出されるブラインドシート（１０）に対して平行な平面内に延在していることを特徴とする請求項１に記載の巻上げブラインド装置。
【請求項３】
出口隙間（２２）の開口幅が案内帯（１８）の高さよりも小さいことを特徴とする請求項１または２に記載の巻上げブラインド装置。
【請求項４】
出口隙間（２２）の開口幅が案内帯（１８）の底面（３１）の幅よりも小さく、案内帯が開口を覆っていることを特徴とする請求項１または２に記載の巻上げブラインド装置。
【請求項５】
ブラインドシート（１０）が案内帯（１８）の横方向長さの範囲内に、好ましくはその中央に固定されていることを特徴とする請求項４に記載の巻上げブラインド装置。
【請求項６】
出口隙間（２２）の開口が案内帯（１８）の底面（３１）の幅よりも小さく、案内帯がその縦軸線回りに回転しないように、案内溝の横断面が案内通路（２３）の少なくとも２つの個所（２５，２３ｂ）で支持されていることを特徴とする請求項１または２に記載の巻上げブラインド装置。
【請求項７】
ブラインドシート（１０）が案内帯（１８）の側方エッジの範囲に固定されていることを特徴とする請求項６に記載の巻上げブラインド装置。
【請求項８】
ブラインドシート（１０）が出口隙間（２２）とは反対の案内帯（１８）の側に固定され、案内帯の側方エッジによって方向を変えられていることを特徴とする請求項６または７に記載の巻上げブラインド装置。
【請求項９】
案内通路（２３）が交叉した形に形成されていることを特徴とする請求項２に従属する請求項のいずれか一項に記載の巻上げブラインド装置。
【請求項１０】
案内帯（１８）がガイド（２０）の少なくとも１個のリブ（２５）上で滑動することを特徴とする請求項１〜９のいずれか一項に記載の巻上げブラインド装置。
【請求項１１】
ガイド（２０）と案内帯（１８）の間にスライドレール（４０）が取付けられ、このスライドレールがガイドに固定連結され、案内帯がスライドレールに滑動接触していることを特徴とする請求項１〜１０のいずれか一項に記載の巻上げブラインド装置。
【請求項１２】
スライドレール（４０）が合成樹脂からなっていることを特徴とする請求項１１に記載の巻上げブラインド装置。
【請求項１３】
スライドレール（４０）が金属からなっていることを特徴とする請求項１１に記載の巻上げブラインド装置。
【請求項１４】
ガイド（２０）がアルミニウムからなっていることを特徴とする請求項１〜１３のいずれか一項に記載の巻上げブラインド装置。
【請求項１５】
案内帯（１８）とガイド（２０）の間に弾性要素が挿入されていることを特徴とする請求項１〜１４のいずれか一項に記載の巻上げブラインド装置。
【請求項１６】
弾性要素が発泡材料からなっていることを特徴とする請求項１５に記載の巻上げブラインド装置。
【請求項１７】
弾性要素がばね鋼からなっていることを特徴とする請求項１５に記載の巻上げブラインド装置。
【請求項１８】
案内通路（２３）の高さが案内帯に固定されたブラインドシート（１０）を含めた案内帯の高さよりも大きく、ブラインドシートの内部応力によって案内帯が案内通路内で傾動して出口隙間（２２）から出ないように保持されるように、ブラインドシートが案内帯に固定されていることを特徴とする請求項２に従属する請求項のいずれか一項に記載の巻上げブラインド装置。
【請求項１９】
ブラインドシート（１０）を巻取る際に、案内帯（１８）がこのブラインドシートと共に巻取り管（１２）に巻取られることを特徴とする請求項１〜１８のいずれか一項に記載の巻上げブラインド装置。
【請求項２０】
ブラインドシート（１０）が各エッジ範囲において案内帯（１８）に対して平行に折り返され、案内帯がこの折り返し部（２８）内に延在していることを特徴とする請求項１〜１９のいずれか一項に記載の巻上げブラインド装置。
【請求項２１】
折り返し部（２８）を形成するブラインドシート（１０）のエッジがブラインドシートに連結されてポケットを形成していることを特徴とする請求項２０に記載の巻上げブラインド装置。
【請求項２２】
案内帯（１８）が折り返し部（２８）内に接着されていることを特徴とする請求項２０または２１に記載の巻上げブラインド装置。
【請求項２３】
案内帯（１８）がブラインドシート（１０）上に接着されていることを特徴とする請求項１〜１９のいずれか一項に記載の巻上げブラインド装置。
【請求項２４】
案内帯（１８）がブラインドシート（１０）上に押出し成形されていることを特徴とする請求項１〜１９のいずれか一項に記載の巻上げブラインド装置。
【請求項２５】
案内帯（１８）が射出成形法によってブラインドシート（１０）上に射出成形されていることを特徴とする請求項１〜１９のいずれか一項に記載の巻上げブラインド装置。
【請求項２６】
案内帯（１８）がブラインドシート（１０）上に溶着されていることを特徴とする請求項１〜１９のいずれか一項に記載の巻上げブラインド装置。
【請求項２７】
案内帯（１８）とブラインドシート（１０）の間に、フィルムがカップリング剤として挿入されていることを特徴とする請求項２６に記載の巻上げブラインド装置。
【請求項２８】
ガイド（２０）が下側部分（２４）と蓋（２６）とからなっていることを特徴とする請求項１〜２７のいずれか一項に記載の巻上げブラインド装置。
【請求項２９】
ガイド（２０）が一体に形成され、かつ曲げ線を有し、ガイドをこの曲げ線に沿って曲げることができるように、曲げ線が形成されていることを特徴とする請求項１〜２７のいずれか一項に記載の巻上げブラインド装置。
【請求項３０】
案内帯（１８）が金属で製作されていることを特徴とする請求項１〜２９のいずれか一項に記載の巻上げブラインド装置。
【請求項３１】
案内帯（１８）が合成樹脂で被覆した金属帯からなっていることを特徴とする請求項１〜２９のいずれか一項に記載の巻上げブラインド装置。
【請求項３２】
案内帯（１８）が合成樹脂で製作されていることを特徴とする請求項１〜２９のいずれか一項に記載の巻上げブラインド装置。
【請求項３３】
合成樹脂がガラス繊維で補強されていることを特徴とする請求項３１または３２に記載の巻上げブラインド装置。
【請求項３４】
巻上げブラインド装置が更に引張り枠（１６）を備え、この引張り枠が引張り枠ガイド内を案内され、この引張り枠ガイドと案内帯のガイド（２０）が共通の案内レール内に設けられていることを特徴とする請求項１〜３３のいずれか一項に記載の巻上げブラインド装置。
【請求項３５】
引張り枠（１６）と案内帯（１８）に隣接するブラインドシート（１０）のコーナー範囲において、このブラインドシートが補強要素（３４）を備えていることを特徴とする請求項３４に記載の巻上げブラインド装置。
【請求項３６】
補強要素（３４）が引張り枠（１６）を案内帯（１８）に連結していることを特徴とする請求項３５に記載の巻上げブラインド装置。
【請求項３７】
補強要素（３４）が引張り枠（１６）と案内帯（１８）に連結されずにブラインドシート（１０）に取付けられていることを特徴とする請求項３５に記載の巻上げブラインド装置。
【請求項３８】
巻上げブラインド装置が駆動装置を備え、この駆動装置が案内帯を介してブラインドシート（１０）を巻き戻すことができるように、案内帯（１８）が駆動装置に連結されていることを特徴とする請求項１〜３７のいずれか一項に記載の巻上げブラインド装置。
【請求項３９】
案内帯（１８）が押し引き可能に案内されていることを特徴とする請求項３８に記載の巻上げブラインド装置。
【請求項４０】
巻上げブラインド装置が駆動装置と駆動ケーブル（３６）を備え、駆動装置が駆動ケーブルを介してブラインドシートを巻き戻すことができるように、駆動ケーブルが駆動装置とブラインドシート（１０）に連結されていることを特徴とする請求項１〜３７のいずれか一項に記載の巻上げブラインド装置。
【請求項４１】
駆動ケーブル（３６）がケーブルガイド（３８）内を案内され、このケーブルガイドが案内帯（１８）のガイド（２０）と共に共通の案内レール内に設けられていることを特徴とする請求項４０に記載の巻上げブラインド装置。
【請求項４２】
少なくとも１個のブラインドシート（１０）と、ブラインドシートを巻取りおよび巻戻すための少なくとも１個の巻取り管（１２）とを備えた、特に請求項１〜４１のいずれか一項に記載の車両用巻上げブラインド装置において、ブラインドシートが少なくとも１個の定力ばねを介して巻取り管に連結され、この定力ばねが渦巻き状に巻かれた、偏平帯（１８）からなるばね要素を有し、この偏平帯の一端が巻取り管に連結されていることを特徴とする巻上げブラインド装置。
【請求項４３】
少なくとも１個のブラインドシート（１０）と、ブラインドシートを巻取りおよび巻戻すための少なくとも１個の巻取り管（１２）とを備えた、特に請求項１〜４１のいずれか一項に記載の車両用巻上げブラインド装置において、少なくとも１個の巻取り管がブラインドシートに連結された定力ばねによって形成され、この定力ばねが渦巻き状に巻かれた、偏平帯（１８）からなるばね要素を有し、この偏平帯の内側の端部が巻上げブラインド装置のあらゆる運転位置でブラインドシートを巻取るための少なくとも一巻を形成していることを特徴とする巻上げブラインド装置。
【請求項４４】
更に、引張り枠（１６）が設けられ、この引張り枠が、巻取り管（１２）とは反対側のブラインドシートの端部および定力ばね（１８）の外側端部に連結されていることを特徴とする請求項４２または４３に記載の巻上げブラインド装置。
【請求項４５】
巻上げブラインド装置が更に駆動装置を備え、定力ばねがブラインドシート（１０）を繰り出すために駆動装置によって巻戻されるように、定力ばね（１８）が駆動装置に連結されていることを特徴とする請求項４２〜４４のいずれか一項に記載の巻上げブラインド装置。
【請求項４６】
定力ばねを形成する偏平帯（１８）が引き出されたブラインドシート（１０）の範囲内で線形のガイド（２０）内を案内されていることを特徴とする請求項４２〜４５のいずれか一項に記載の巻上げブラインド装置。
【請求項４７】
引張り枠（１６）が引張り枠ガイド内を案内され、引張り枠ガイドと偏平帯（１８）のガイド（２０）が共通の案内レール内に設けられていることを特徴とする請求項４６に記載の巻上げブラインド装置。
【請求項４８】
偏平帯（１８）が金属からなっていることを特徴とする請求項４２〜４７のいずれか一項に記載の巻上げブラインド装置。
【請求項４９】
引張り枠（１８）が一定の制動力の制動装置に連結され、制動装置が引張り枠とブラインドシート（１０）を任意のあらゆる位置に固定保持できるように形成されていることを特徴とする請求項４２〜４８のいずれか一項に記載の巻上げブラインド装置。
【請求項５０】
定力ばねの偏平帯が同時に案内帯（１８）としての働きをすることを特徴とする請求項１と請求項４２または４３に従属する請求項のいずれか一項に記載の巻上げブラインド装置。
【発明の詳細な説明】
【技術分野】
【０００１】
本発明は、請求項１，４２および４３の前提部分に記載した車両用巻上げブラインド装置に関する。
【背景技術】
【０００２】
車両製造で使用するための巻上げブラインド装置は、例えば透明な車体面の下方の日よけとして、あるいはステーションワゴンにおけるトランクルームのためのカバーとしての働きをする。このような装置は一般的に、一端が巻取り管に巻取られ、巻取り管の戻し力によって張られたブラインドシートを備えている。ブラインドシートの他端は、通常は引張り枠に固定されている。この引張り枠は、電気式駆動装置によってあるいは手で動かすことができる。それによって、ブラインドシートは引き出されるかまたは再び巻取られる。
【０００３】
このような巻上げブラインド装置において、ブラインドシートが引張り枠と巻取りローラの間で張られているときに、例えばブラインドシートの上方でルーフ開口が部分的に開放すると、比較的に強く張っていても、ブラインドシートがばたつくことになる。更に、このような実施形の場合に、一般的にブラインドシートのエッジのところに存在する隙間が視覚的に邪魔になる。
【０００４】
これらの欠点を克服するために、ブラインドシートがその引き出し方向だけでなく、引き出し方向に対して横方向にも張られる巻上げブラインドシステムが知られている。例えば特許文献１には、ブラインドシートの側方エッジが、側方に取付けられた車体固定の案内レールに係合して、巻上げブラインドの開閉運動時に少しだけ摺動可能であるがしかし、巻上げブラインド運動方向に対して横方向に案内レールから引き出されないように形成された巻上げブラインド装置が記載されている。それによって、ブラインドシートのエッジ範囲のばたつき運動および振動運動が防止され、そしてブラインドシートの幅に対して両側の案内レールの間隔を適切に定めることにより、引き出し方向に対して横方向にブラインドシートを張ることができる。そのために、ブラインドシートの側方エッジはエッジ補強部を備えている。この側方エッジは、曲がったガイド範囲に係合するためにブラインドシートの平面に対して折れ曲がることができ、巻取り管にブラインドシートを巻取るために、折れ曲がっていない伸張した平らな姿勢に戻ることができる。
【０００５】
上記の巻上げブラインド装置は一方では、曲げ線に沿ってエッジ補強部を絶えず曲げることにより、危険な範囲が生じ、この範囲に沿ってブラインドシートまたはエッジ補強部が材料疲労によって損傷して切れるという欠点がある。他方では、このエッジ補強部を案内するために、滑り案内溝が必要である。この滑り案内溝は、案内するときにエッジ補強部を折り曲げるので、押出し成形できない。これは、このようなガイドの製作および組み立てコストを高めることになる。
【０００６】
本発明の観点は特に、巻上げブラインドの引き出し方向にブラインドシートを張るためのばねに関係している。ブラインドシートをこの縦方向において、張りながらあらゆる位置に保持するために、従来の巻上げブラインド装置の場合、巻取り管は例えばねじりばねのような戻しばねを介して中央の巻取り軸に連結され、この巻取り軸は、巻取り管内で車体に固定されて支持されている。このようなシステムは、例えば特許文献２に開示されている。ブラインドシートを引き出すと、このような戻しばねによって巻取り管を介して引張り力がブラインドシートに加えられる。しかしながら、このような装置において、ブラインドシートの引き出し長さに応じて大きく変化するねじりばねの戻し力は不利である。
【特許文献１】ＤＥ  １９７  ３９  ９１９  Ａ１
【特許文献２】ＤＥ  １９８  ３４  ７７７  Ｃ２
【発明の開示】
【発明が解決しようとする課題】
【０００７】
本発明の課題は、上記の欠点が回避される車両用巻上げブラインド装置を提供することである。
【課題を解決するための手段】
【０００８】
この課題は請求項１，４２，４３記載の巻上げブラインド装置によって解決される。
【０００９】
請求項１記載の本発明による課題の解決策の場合、ブラインドシートが側方の両エッジ範囲に沿ってそれぞれ少なくとも１個の可撓性で偏平な案内帯を備え、この案内帯が巻上げブラインドの引き出し方向に沿って延在し、かつガイド内を案内されている。ガイドは滑り案内溝を有し、この滑り案内溝内で案内帯が案内され、滑り案内溝は出口隙間を有し、ブラインドシートがこの出口隙間を通ってガイドから外へ出ており、案内帯の底面がブラインドシートの隣接範囲に対してほぼ平行に案内されるように、案内帯が案内され、案内帯がひとりでにガイドから出ることができないように、出口隙間と案内帯の形状および寸法が定められている。
【００１０】
本発明において、ブラインドシートの巻き戻しの際にブラインドシートの案内帯が折れ曲がらず、ブラインドシートの巻取りの際に巻取り管上に平らに載せられ、それによって材料疲労が回避されるという利点がある。更に、この折れ曲がりを行う滑り案内溝が不要である。それによって、簡単で、それに伴い低コストで製作可能な案内レールを使用することができる。このような装置によって特に、非常に長く、場合によっては狭いブラインドシートを引き出し方向に対して横方向に張り、それによって巻取りしわを確実に防止することができる。
【００１１】
本発明の他の有利な実施形は、従属請求項から明らかである。
【００１２】
案内帯は、好ましくはガイド内の案内通路の中を案内され、案内通路の底は、引き出されるブラインドシートに対して平行な平面内に延在している。
【００１３】
本発明の特に有利な実施形では、出口隙間からの案内帯の滑り落ちを防止するために、出口隙間の開口幅が案内帯の高さよりも小さい。
【００１４】
その代わりに、出口隙間の開口幅が案内帯の底面の幅よりも小さく、案内帯が開口を覆っていることによっても、滑り落ちを防止することができる。その際、案内帯は好ましくは出口隙間の両エッジで支持されている。本発明の他の有利な実施形の場合、ブラインドシートは案内帯の横方向長さに沿った１個所でしかも好ましくは案内帯の中央範囲において固定されている。
【００１５】
同様に特に有利な実施形の場合、出口隙間の開口が案内帯の底面の幅よりも小さく、案内帯がその縦軸線回りに回転しないように、案内溝の横断面がこの場合案内通路の少なくとも２つの個所で支持されている。その際、案内帯は側方から出口隙間を覆っている。その際、ブラインドシートは、好ましくは案内帯の側方エッジの範囲に固定されている。この変形の他の実施形の場合、ブラインドシートが出口隙間とは反対の案内帯の側に固定され、案内帯の側方エッジによって方向を変えられている。
【００１６】
本発明の有利な実施形の場合、案内通路が交叉した形に形成可能なガイドの案内通路内で案内されている。更に、案内帯をガイドに直接連結するか、あるいは案内帯とガイドの間にスライドレールを挿入してガイドに固定することができる。後者の場合、スライドレールと案内帯の材料を適切に選択することにより、ブラインドシートの移動時の摩擦と騒音発生を低減することができる。
【００１７】
本発明の他の有利な実施形は、案内帯とガイドの間あるいはスライドレールとガイドの間に弾性要素を備えている。この弾性要素は、例えばブラインドシートの両側のガイドの間隔誤差を補正する。このような弾性要素は、例えばばね鋼または発泡材料からなっている。案内帯をブラインドシートに固定するために一方では、案内帯がブラインドシートの折り返し範囲においてのみブラインドシートのエッジ領域に挿入され、そこで締付け作用によって保持される。他方では、このような折り返し部のエッジがブラインドシートに固定連結、好ましくは縫合または溶着され、ポケットを形成し、このポケット内に案内帯が延在している。本発明の他の代替的な実施形では、案内帯が折り返し部内で接着されているか（例えば両面接着テープまたは接着剤、特に液体接着剤によって接着）、あるいは案内帯が折り返し部を備えていないブラインドシート上に直接接着されている。理解されるように、代替的な固定方式が考えられる。特に、案内帯がブラインドシート上に押出し成形される。この場合、案内帯の押出し成形の際に同時に、その固定が行われる。更に、案内帯は、射出成形法によってブラインドシート上に射出成形されるか、または溶着によってブラインドシートに固定される。後者の場合、好ましくは溶着の前に、フィルムが案内帯とブラインドシートの間に挿入される。このフィルムは、溶融によってカップリング剤として作用し、溶着連結を改善する。押出し成形の際および溶着の際、合成樹脂、特に繊維補強された合成樹脂が使用されると有利である。
【００１８】
本発明の他の有利な実施形の場合、ガイドが下側部分と蓋とからなり、蓋がこの下側部分に固定されている。しかし、きわめて有利な実施形では、このカイドは一体に形成されている。一体のガイドは更に、曲げ線を有する。この実施形の場合、ガイドは曲げ伸ばされた形に製作される。これは特に隙間寸法が小さい場合にこのようなプロファイルの押出し成形を容易にする。続いて、案内帯を挿入する前または後にガイドは、出口隙間が開放したままになるように曲げられる。案内帯が後で挿入されるときには、案内帯を前からまたは後からガイド内に挿通しなければならない。
【００１９】
本発明の他の有利な実施形の場合、案内帯は巻取り管への巻取りを可能にするために可撓性材料によって製作され、例えば案内帯は可撓性の金属によって製作可能である。このような金属帯は更に、騒音、摩擦および摩耗を低減するために、例えば合成樹脂、場合によってはガラス繊維補強された合成樹脂で周りを覆われている。
【００２０】
引張り枠を備えた本発明の他の実施形では、好ましくは引張り枠ガイドと案内帯のガイドを有する案内レールが使用される。それによって、ガイドの製作コストと組み立てコストを低減することができる。本発明の他の有利な実施形では、ブラインドシートは、案内帯と引張り枠が互いに交わる範囲または互いに最小間隔を有する範囲において、補強要素を備えている。この補強要素はブラインドシートに作用する剪断力を低減し、ブラインドシートの引き裂きを防止する働きをする。このような補強要素は引張り枠と案内帯を直接相互連結しているかあるいは代替的な実施形では、引張り枠と案内帯の一方または他方または両方に直接接触しないで、この引張り枠と案内帯の近くに取付けられている。その際好ましくは、巻上げブラインドの引き出し方向に沿って接着されているかまたは合成樹脂の場合蒸着または射出成形された金属または合成樹脂の条片が使用される。
【００２１】
本発明の特に有利な実施形は、案内帯が駆動装置によって動かされて、巻取り管の巻き戻しの際にブラインドシートを押すことにより、案内帯が同時に駆動要素としての働きをするときに生じる。その際好ましくは、案内帯が押し引き可能に案内されているか、または構造に基づいてそれ自体が押し引き可能である。案内帯がブラインドシートと共に巻取り管に巻取られると、巻戻しの際に案内帯は、ブラインドシートを動かすことができる。これは好ましくは、案内帯がブラインドシートの引張り枠を移動させることによって行われる。
【００２２】
請求項４２記載の解決策の場合、ブラインドシートと少なくとも１個の巻取り管を備えた車両用巻上げブラインド装置は、定力ばねを備えている。この定力ばねは、一方ではブラインドシートに、他方では巻取り管に連結されている。このような定力ばねは渦巻き状に巻かれた、偏平帯、好ましくは金属偏平帯製のばね要素からなり、本発明に従い渦巻きの外側端部はブラインドシートに連結され、渦巻きの内側端部は巻取り管に連結されている。この場合一方では、本発明による巻上げブラインド装置において、定力ばねの組み立てが比較的に簡単であるという利点がある。この定力ばねは、例えばねじりばねの形をした従来の公知の戻しばねの代わりに使用される。他方では、きわめて安定した耐摩耗性の解決策が得られる。更に、定力ばねの場合、引き出し長さに関係なく、一定の戻し力が供されることがきわめて有利である。それに対して、従来の構造の戻しばねの場合、ブラインドシートを全部引き出すと、短い引き出し距離の場合よりも、戻し力がはるかに大きい。
【００２３】
請求項４３記載の解決策の場合、少なくとも１個の巻取り管がブラインドシートに連結された定力ばねによって形成され、この定力ばねが渦巻き状に巻かれた、偏平帯からなるばね要素を有し、この偏平帯の内側の端部が巻上げブラインド装置のあらゆる運転位置でブラインドシートを巻取るための少なくとも一巻きを形成している。その代わりに、別個の巻取り管が設けられていると、定力ばねの巻取られた部分は、ブラインドシートを巻取るための巻取り管として使用される。この場合、別個の巻取り管の省略によって、重量と製作コストが低減される。
【００２４】
本発明の他の有利な実施形は従属請求項から明らかである。
【００２５】
請求項４２，４３記載の発明のきわめて有利な実施形の場合、定力ばねは、ブラインドシートを繰り出すために駆動装置によって巻戻されてブラインドシートを移動させるように、例えば電動機のような駆動装置に連結されている。この場合、定力ばねが、その戻し力によって巻上げブラインドを緊張させるだけでなく、ブラインドシート自体を動かすので、別個の駆動ケーブルまたは歯付きベルトが不要であるという利点がある。
【００２６】
好ましくは、定力ばねの偏平帯が引き出されたブラインドシートの範囲内で線形のガイド内を案内され、本発明のきわめて有利な実施形の場合、引張り枠ガイドと偏平帯のガイドが共通の案内レール内に設けられている。それによって、製作コストと組み立てコストを低減することができる。
【００２７】
本発明の他の実施形では、ブラインドシートが一定の制動力の制動装置に連結され、制動装置がブラインドシートを任意の位置に固定保持する。例えば、手による運動のための無段階に引き出し可能なブラインドシートが実現可能である。この場合好ましくは、案内帯で発生する摩擦が巻取り管で提供される、ブラインドシートを巻取るための戻し力よりも少しだけ大きくなるように、装置が構成される。それによって、案内帯はそのルーフ側のガイドと関連して制動装置の機能を受け持つ。
【００２８】
本発明のきわめて有利な実施形の場合、定力ばねの偏平帯が同時にブラインドシートの案内帯としての働きをする。この場合、定力ばねは全部で４つの機能、すなわちブラインドシートの側方案内ひいては横方向緊張、戻し力によるブラインドシートの縦方向緊張、引張り枠の引き出しおよび引き戻し並びにブラインドシートを巻取る巻取り管の機能を受け持つ。
【発明を実施するための最良の形態】
【００２９】
次に、添付の図に基づいて本発明を例示的に詳しく説明する。
【００３０】
図１は、ブラインドシート１０を備えた本発明による巻上げブラインド装置を示している。このブラインドシート１０は、巻取り管１２によって巻取りおよび巻戻し可能であり、かつ２個のガイド２０に沿って移動可能である。巻取り管１２は、車体固定の支承部材１４によって回転可能に支承され、巻取り管とは反対側のブラインドシートの端部は引張り枠１６に固定されている。ブラインドシート１０の両側のガイド２０内をそれぞれ案内帯１８が案内されている。この案内帯はブラインドシート１０に連結され、ブラインドシート１０と共に巻取り管１２に巻き取られる。その際、ブラインドシート１０は、図示していない開口を通ってガイド２０から出ることができるがしかし、両側の案内帯１８は出ることができないように、ガイド２０内を案内されている。ブラインドシート１０の幅と比較して、ブラインドシート２０の両側方エッジの両ガイド２０の間隔を適切に定めることにより、ブラインドシート１０自体がその引き出し方向に対して横方向に張られ、それによって例えばブラインドシート１０のばたつきが防止される。これは特に、ブラインドシート１０が車両ルーフの範囲内のルーフ開口を遮光する働きをし、かつルーフ開口が少なくとも部分的に開放して、通風がブラインドシート１０に当たるときに有利である。
【００３１】
図１のガイド２０を実施するための２つの代替的な実施の形態の詳細が、図２ａ，２ｂの断面図に示してある。図２ａの実施の形態の場合、ガイド２０は案内レールとして形成された下側部分２４と、出口隙間２２を除いて下側部分を閉鎖している真っ直ぐな蓋２６とからなっている。ガイド２０は、底２７を有する案内通路２３を形成している。この底２７は、張られたブラインドシート１０に対して平行な平面内にある。案内通路２３内で案内帯１８が摺動可能に案内されている。この案内帯１８自体は、ブラインドシート１０を案内帯１８の周りにポケット状に案内し、縫い目２９で縫い合わせることにより、ブラインドシート１０に連結されている。案内通路２３は、ブラインドシート１０のポケットを含めた案内帯１８の高さよりも少しだけ高い内法高さを有する。下側部分２４と蓋２６は互いにボルト止め、クリップ止めまたは接着可能であり、代替的な実施の形態ではその位置を交替することができる。このような実施の形態の利点は特に、下側部分２４と蓋２６がその全長にわたって同じ横断面を有し、それに伴い比較的に簡単に押出し成形可能であることにある。代替的な実施の形態の場合、下側部分２４と蓋２６は一体に製作可能である。そして、蓋２６と下側部分２４はブラインドシート１０の案内帯を挿入する前に、まず曲げ伸ばされ、そして案内帯１８を挿入した後、適当な大きさの開口を有する出口隙間が形成持続されるように曲げられる。あるいは、案内帯１８がブラインドシート１０と共に一体ガイド２０内に挿通される。
【００３２】
出口隙間２２の開口は本発明に従って、ブラインドシート１０がガイド２０から出ることができ、ブラインドシート１０に固定された案内帯１８が出ることができないように採寸されている。その際、案内帯１８の底面３１は、ブラインドシート１０の図示した引き出し範囲においても巻取り管１２上においても、隣接するブラインドシートに対して平行のままである。
【００３３】
図２ｂに示したガイド２０の代替的な実施の形態の場合、下側部分２４も蓋２６もＬ字形プロファイルである。このＬ字形プロファイルは、出口隙間２２が開放したままで、この出口隙間２２を通って（図２ａの場合に類似して）ブラインドシート１０がガイド２０から外へ出ることができるように形成および組み立て可能である。
【００３４】
図３ａ，３ｂ，３ｃは案内帯１８をブラインドシート１０に固定するための３つの代替的な実施の形態を示している。図３ａの実施の形態の場合、ブラインドシート１０は、側方を折り曲げられて折り返し部２８を形成している。折り返し部２８のエッジは縫い目２９によってブラインドシート１０に連結されている。その代わりに、このエッジをブラインドシート１０に接着してもよいし、溶着してもよい。ブラインドシート１０のポケット状折り返し部２８により、このブラインドシート１０は側方において、折り返し部内に収容された案内帯１８によって案内される。それによって、ブラインドシート１０の案内帯１８をその引き出し方向に対して横方向に張って固定することができる。
【００３５】
図３ｂに示した実施の形態では、ブラインドシート１０が図３ａの折り返し部に類似する折り重ね部状の折り返し部２８を備えている。しかし、この折り返し部２８のエッジは、ブラインドシート１０に縫い合わせされてもいないし、他の方法で固定連結されてもいない。折り返し部２８内には案内帯１８が挿入され、この場合、案内帯１８は接着剤３０によってブラインドシート１０に連結されている。接着剤３０は、例えば液体接着剤の層であるか、または両面接着テープである。この接着剤３０は、図示していない本発明の他の代替的な実施の形態では省略することができる。その場合、案内帯１８は、折り重ね部状の折り返し部２８の締付け作用によって、およびブラインドシート１０の個々の布層の押圧力によって、（図３ａ〜３ｃに図示していない）巻取り管に保持される。
【００３６】
ブラインドシート１０上における案内帯１８の固定部の他の代替的な実施の形態が図３ｃに示してある。この場合、ブラインドシート１０は、折り返し部または折畳み部を備えておらず、案内帯１８は接着剤３０を介してのみブラインドシート１０に連結されている。
【００３７】
図４は本発明の他の実施の形態を示す、巻取り管１２を部分的に取り囲むガイド３２と共に巻取り管を側方から見た部分図である。本発明のこの代替的な実施の形態の場合、案内帯１８は、ブラインドシート１０をその引き出し方向に対して横方向に張るためのブラインドシート１０の側方ガイドの働きをするだけでなく、案内帯１８は同時にブラインドシートのための駆動手段としての働きをする。その前提条件として、案内帯１８が例えば図２ａ，２ｂに示すように引き出されたブラインドシート１０の側方で押し引き可能に案内されるだけでなく、巻取り管１２を介してブラインドシート１０を駆動する際に案内帯１８が押し引き可能に巻取り管の周りで案内される必要がある。押し引き可能な案内帯１８のこの案内は、巻取り管１２を爪状に部分的に取り囲む図示したガイド３２によって保証される。本発明のこの実施の形態の場合、側方ガイドと駆動手段がブラインドシート１０の案内帯１８によって形成されている点が特に有利である。従って、例えば押し引き可能なケーブルまたは押し引き可能に案内された歯付きベルトのような付加的な駆動手段が省略される。
【００３８】
図５は、引張り枠１６および案内帯１８に隣接したコーナーの範囲に、補強部３４を備えたブラインドシート１０を示している。この補強部３４は、このコーナー範囲においてブラインドシート１０に作用する剪断力を低減させる働きをする。このような剪断力は特に、引張り枠１６を用いてブラインドシート１０を引き出す際に案内帯１８が図示していないガイド内でやや傾くとき、あるいは例えば案内帯１８が押し引き可能に案内されて巻上げブラインド装置の駆動手段としての働きをするとき、または案内帯１８が定力ばねとして形成されている実施の形態の場合に発生し得る。最後に述べた実施の形態の場合、案内帯１８は、ブラインドシート１０のための側方ガイドとしてのその機能のほかに、ブラインドシート１０をあらゆる引き出し位置で引き出し方向に沿って緊張保持するために、ブラインドシート１０のための戻しばねとしての働きをする。その際、図５に示すように、補強部３４はブラインドシート１０に取付け可能であり、同時に案内帯１８を引張り枠１６に直接連結可能である。それによって、案内帯１８と引張り枠１６の間で力が直接伝達される。その代わりに、ブラインドシート１０のこのようなコーナーの範囲において、補強部自体を引張り枠または案内帯に直接連結しないで、補強部を取付けることができる。特にブラインドシート１０にのみ連結された特に細長い（巻上げブラインドの引き出し方向に伸ばされた）補強要素の場合、剪断力をブラインドシート１０に沿って分配し、ブラインドシート１０と案内帯１８の引き裂きを防止することができる。
【００３９】
図６ａは、案内帯１８に固定されたブラインドシート１０を備えた案内帯１８のための他のガイド２０の横断面を示している。案内帯１８は図３ｂのように、ブラインドシート１０のエッジ折り返し部に接着されている。しかしながら、案内帯１８用ガイド２０の案内通路２３は図２ａ，２ｂのガイドと異なり、その中に収容されたブラインドシート１８を含めた案内帯１８よりもはるかに大きな内法高さを有する。それによって、案内帯１８は、ブラインドシート１０の張力によって案内通路内で傾動する。この案内通路の底は（図２ａ，２ｂの場合のように）ブラインドシート１０に対して平行に延在している。このような傾動は、ガイド２０から滑り落ちないように、案内帯１８を付加的に保持する働きをする。この作用は、ガイド２０のウェブ２１が図示のような垂直な内面２１ａではなく、案内帯１８の方へ傾いた内面を備えていると、一層強められる。
【００４０】
図６ｂは、案内帯１８が案内通路２３内を案内され、張られたブラインドシート１０が案内帯を回転モーメントＭ（矢印方向参照）で付勢している本発明の実施の形態を示している。この回転モーメントは、好ましくは案内帯の中心の近くの回転点回りに作用する。その際、案内帯１８はブラインドシート１０の近くのリブ２５と、案内通路２３のエッジまたは段部２３ｂに支持され、回転しないように保持されている。
【００４１】
図７に示したガイド２０はケーブルガイド３８を備え、このケーブルガイド３８内を別個の駆動ケーブル３６が案内されている。この駆動ケーブル３６は、ブラインドシート１０を案内する案内帯１８に連結されている。そのために、案内帯１８が延在する案内通路２３は、ケーブルガイド３８の側が開放している。従って、図示していない駆動装置の駆動力は、案内帯１８単独によってではなく、駆動ケーブル３６と案内帯によってブラインドシート１０または場合によっては引張り枠に伝達される。
【００４２】
図８には、スライドレール４０を介してガイド２０に滑動接触している案内帯１８が示してある。スライドレール４０はガイド２０に挿入され、好ましくはガイド２０に固定される。スライドレール４０とガイド２０の材料を適切に選択すると、滑り特性を改善することができる。ガイド２０は、案内通路２３内においてスライドレール４０の上方および下方にそれぞれ１つの溝４２を備えている。この溝４２には、スライドレール４０の隆起部４４が各々１つ係合している。それによって、案内帯１８の引き出し方向に対して横方向のスライドレール４０の動きが阻止される。案内帯１８にはブラインドシート１０が固定され、出口隙間２２を通って案内通路から出ている。
【００４３】
図９は、図８に類似する構造を示している。この場合、スライドレール４０は突起４６を付加的に備えている。この突起４６は出口隙間２２を部分的に覆っているので、出口隙間の有効開口が小さくなる。それにより、出口隙間２２の開口が大きく、それに伴いガイドの中を案内される案内帯１８へのアクセスが良好であるガイド２０が実現可能であり、その際運転中、案内帯１８が案内通路２３から抜け出ることがない。案内通路２３は溝２３ａを備えている。この溝２３ａは駆動ケーブルを収容することができ、更に汚染物排出通路としての働きをすることができる。
【００４４】
図１０は、交叉した案内通路２３を有するガイド２０の断面を示す斜視図である。案内通路２３は、上方が開放した出口隙間２２の向かい側に、下側の溝２３ａを備えている。この溝２３ａは（図９に類似して）駆動ケーブルを収容可能である。（図示していない）案内帯とガイド２０の間の摩擦を低減するために、矢印で示すように、組み立て時に、ブラインドシート寄りの案内通路２３の側に、スライドレール４０が挿入される。更に、このようなスライドレール４０を案内通路２３の両側に配置することができる。
【００４５】
図１１には、ガイド２０の断面が示してある。このガイド２０の場合、案内通路２３は図１０に類似して交叉した基本形状を有するがしかし、ここでは付加的なリブ２５がガイドに成形されている。このリブ２５は、ガイド２０における（図示していない）案内帯の載置面を縮小する。それによって、ガイド２０内での案内帯の滑り特性が改善される。
【００４６】
図１２，１３はブラインドシート１０に案内帯１８を固定するための他の変形例を示している。この場合、縫い目が案内帯を通過している。この固定方法は特に可撓性で軟らかい合成樹脂製案内帯のために使用される。図１２，１３の実施の形態の場合、縫い目３３または３３ｂによって、ブラインドシート１０の折り返し部２８が形成される。図１２の実施の形態では、案内帯がこの折り返し部２８に挿入され、同時に縫い目３３によって固定されている。これに対して、図１３の実施の形態の場合には、案内帯が第２の縫い目３３ａによって折り返し部２８のエッジに縫い付けられている。この変形例の場合、案内帯１８がガイド２０上で直接滑るので、ブラインドシート１０は案内帯とガイドの間で擦り切れることがない。
【００４７】
図１４は、図１３の実施の形態の案内通路の全体の横断面を示している。図１４から分かるように、縫い目３３ａと案内帯の側方エッジとの間隔Ｂは、出口隙間２２のエッジ２２ａとこの出口隙間２２に付設された案内通路２３の内面２３ｃとの間隔Ａよりも幾分大きく選定されている。従って、ブラインドシート１０が内面２３ｃで擦り切れることが防止される。エッジ２２ａに対するブラインドシート１０の押圧力と、ガイド２０の内面に対する案内帯１８の押圧力は、これらの間隔Ａ，Ｂを適切に採寸することによって調節可能である。
【００４８】
例えばブラインドシート１０、スライダまたは引張り枠に対する案内帯の連結方法について、次に図１５，１６に基づき説明する。図１５は、ガイド２０内の案内帯１８を斜視図で示している。案内帯１８は、引張り枠またはブラインドシートの引き出し端部寄りのその端部において、穴５０内に管リベット４８を備えている。この管リベット４８によって連結が行われる。もちろん、穴５０における連結は他の方法、例えばボルト止めによって行うことができる。
【００４９】
図１６は、ガイド２０内の案内帯１８を示している。ここでも、案内帯１８は、連結のために管リベット４８を備えている。案内帯１８をスライダ５２に連結するために、ピン５４がスライダ５２に差し込まれている。このピン５４は、管リベット４８を通って案内されている。それによって、案内帯１８とスライダ５２の連結が保証される。更に、引張り枠（図示せず）をスライダ５２に連結することができる。それによって、案内帯１８ひいてはブラインドシートを繰り出すまたは巻取ることができる。
【００５０】
別個の巻取り管を備えていない巻上げブラインド装置の実施の形態が図１７に示してある。この場合、ブラインドシート１０の両側に取付けられた２個の案内帯１８が同時に、巻取り管として、案内要素として、押し引き可能な駆動要素として、および戻しばねとしての働きをする。案内帯１８は、ブラインドシート１０を動かすために渦巻き状に巻取りまたは巻戻し可能な金属製定力ばねである。そのために、案内帯１８はブラインドシート１０の端部の（図示していない）引張り枠に連結可能である。それによって、定力ばねとして形成された案内帯１８は一方では、ブラインドシート１２を後退させるための、従来知られている付加的なばねの代用をし、他方では巻き取られた案内帯の範囲は、従来知られている別個の巻取り管の代用をする。巻き取られたブラインドシート１０の両側に、巻取り過程のガイドとしての働きをする２個の円板５６を設けることができる。図１７にはこの円板が１個だけ示してある。
【図面の簡単な説明】
【００５１】
【図１】案内帯を備えた本発明による巻上げブラインド装置の概略図である。
【図２ａ】案内帯のためのガイドの異なる代替的な実施の形態を示す図である。
【図２ｂ】案内帯のためのガイドの異なる代替的な実施の形態を示す図である。
【図３ａ】案内帯をブラインドシートに連結するための異なる代替的な実施の形態を示す図である。
【図３ｂ】案内帯をブラインドシートに連結するための異なる代替的な実施の形態を示す図である。
【図３ｃ】案内帯をブラインドシートに連結するための異なる代替的な実施の形態を示す図である。
【図４】巻取り管と案内帯を側方から見た部分図である。
【図５】コーナー範囲に補強部を備えた本発明によるブラインドシートの部分図である。
【図６ａ】傾動した案内帯を有するガイドの代替的な実施の形態を示す図である。
【図６ｂ】ガイドの他の代替的な実施の形態を示す図である。
【図７】案内帯用ガイドと、駆動ケーブルを有するケーブルガイドを備えた案内レールを示す図である。
【図８】スライドレールに取付けられた案内レールを示す図である。
【図９】スライドレールを備えたガイドの他の代替的な実施の形態を示す図である。
【図１０】交叉した横断面を有する案内通路を示す図である。
【図１１】交叉した横断面を有する案内通路と、摩擦を低減するためのリブを示す図である。
【図１２】ブラインドシートのポケット状エッジと、貫通縫合された案内帯を有する巻上げブラインド装置を示す図である。
【図１３】ブラインドシートの折り返し縫合されたエッジと貫通縫合された案内帯を有する巻上げブラインド装置を示す図である。
【図１４】図１３のガイドの全体横断面図である。
【図１５】スライダを固定するための管リベットを備えた案内帯を示す図である。
【図１６】スライダを備えた案内帯の横断面図である。
【図１７】案内帯が同時に巻取り管としての働きをする巻上げブラインド装置を示す図である。
【符号の説明】
【００５２】
１０…ブラインドシート、１２…巻取り管、１４…支承部材、１６…引張り枠、１８…案内帯、２０…ガイド、２１…ウェブ、２１ａ…内面、２２…出口隙間、２２ａ…エッジ、２３…案内通路、２３ａ…溝、２３ｂ…段部、２３ｃ…内面、２４…下側部分、２５…リブ、２６…蓋、２７…底、２８…折り返し部、２９…縫い目、３０…接着剤、３１…底面、３２…ガイド、３３ａ，３３ｂ…縫い目、３４…補強部、３６…駆動ケーブル、３８…ケーブルガイド、４０…スライドレール、４２…溝、４４…隆起部、４６…突起、４８…管リベット、５０…穴、５２…スライダ、５４…ピン
【図１】
2008520859.tif 000003
【図２ａ】
2008520859.tif 000004
【図２ｂ】
2008520859.tif 000005
【図３ａ】
2008520859.tif 000006
【図３ｂ】
2008520859.tif 000007
【図３ｃ】
2008520859.tif 000008
【図４】
2008520859.tif 000009
【図５】
2008520859.tif 000010
【図６ａ】
2008520859.tif 000011
【図６ｂ】
2008520859.tif 000012
【図７】
2008520859.tif 000013
【図８】
2008520859.tif 000014
【図９】
2008520859.tif 000015
【図１０】
2008520859.tif 000016
【図１１】
2008520859.tif 000017
【図１２】
2008520859.tif 000018
【図１３】
2008520859.tif 000019
【図１４】
2008520859.tif 000020
【図１５】
2008520859.tif 000021
【図１６】
2008520859.tif 000022
【図１７】
2008520859.tif 000023
【国際調査報告】
2008520859.tif 000024
2008520859.tif 000025
2008520859.tif 000026
2008520859.tif 000027
2008520859.tif 000028
2008520859.tif 000029